(57)【要約】  複数の異なった発光色に対応する発光素子をそれぞれサブピクセルとし、これら複数のサブピクセルを組として１つのカラー表示ピクセルを構成すると共に、前記カラー表示ピクセルを面方向に多数配列してなる表示パネルを点灯駆動するドライバ回路が備えられる。  前記ドライバ回路には、走査対象となる前記カラー表示ピクセルに対してそれぞれ表示データを出力する制御回路（２ａ）と、前記制御回路からもたらされる表示データに基づいて、走査対象となる前記カラー表示ピクセルにおける各サブピクセルを点灯もしくは消灯制御するための駆動データを展開する変換回路（２ｃ）とが具備されている。  そして、前記変換回路には、各サブピクセルを点灯もしくは消灯制御するための前記駆動データの展開形態を指示する指令が入力可能に構成されている。
2009104237.tif 000002
【特許請求の範囲】
【請求項１】
複数の異なった発光色に対応する発光素子をそれぞれサブピクセルとし、これら複数のサブピクセルを組として１つのカラー表示ピクセルを構成すると共に、前記カラー表示ピクセルを面方向に多数配列してなる表示パネルを点灯駆動するドライバ回路を備えた発光表示パネルの駆動装置であって、
前記ドライバ回路には、走査対象となる前記カラー表示ピクセルに対してそれぞれ表示データを出力する制御回路と、前記制御回路からもたらされる表示データに基づいて、走査対象となる前記カラー表示ピクセルにおける各サブピクセルを点灯もしくは消灯制御するための駆動データを展開する変換回路とが具備されていることを特徴とする発光表示パネルの駆動装置。
【請求項２】
前記変換回路には、各サブピクセルを点灯もしくは消灯制御するための前記駆動データの展開形態を指示する指令が入力可能に構成されていることを特徴とする請求項１に記載された発光表示パネルの駆動装置。
【請求項３】
前記変換回路には、前記駆動データの展開形態を指示する異なった指令が、任意のタイミングで切り換え入力されるように構成されていることを特徴とする請求項２に記載された発光表示パネルの駆動装置。
【請求項４】
前記変換回路は、複数のグループに分けられ、各グループごとに前記駆動データの展開形態を指示する異なった指令が、入力されるように構成されていることを特徴とする請求項２に記載された発光表示パネルの駆動装置。
【請求項５】
前記制御回路と前記変換回路との間に、前記制御回路からもたらされる二値の表示データを反転させるデータ反転回路を備えたことを特徴とする請求項１ないし請求項４のいずれか１項に記載された発光表示パネルの駆動装置。
【請求項６】
前記変換回路からもたらされる各サブピクセルを点灯もしくは消灯制御するための二値の駆動データを反転させるデータ反転回路を備えたことを特徴とする請求項１ないし請求項４のいずれか１項に記載された発光表示パネルの駆動装置。
【発明の詳細な説明】
【技術分野】
【０００１】
この発明は、例えば有機ＥＬ（エレクトロ・ルミネッセンス）素子を表示素子として用い、表示画面の全体もしくは一部において、特定の表示色で表示することができる発光表示パネルの駆動装置および駆動方法に関する。
【背景技術】
【０００２】
有機ＥＬ素子は自発光型素子であるため、これを用いた表示パネルにおいては視野角に制限がなく、また従来の液晶表示装置に必要なバックライトも不要であるので、表示パネルのさらなる薄型化に寄与することができる。さらに有機ＥＬ素子は低電圧の直流電源により、効率の高い点灯駆動動作がなされるなどの特質を有している。したがって、有機ＥＬ素子による表示パネルは、現状において広く用いられている液晶表示パネルに代わる次世代の表示パネルとして注目されている。【０００３】
かかる有機ＥＬ素子を用いた表示パネルとして、素子をドットマトリクス状に配置することでカラー表示が可能なパッシブ駆動型表示パネルが提案されている。図１は、Ｒ（赤）、Ｇ（緑）、Ｂ（青）の各色を発光するＥＬ素子をそれぞれサブピクセルとして１つのカラー表示ピクセルを形成し、これを前記したとおりマトリクス状に配置してなる表示パネルおよびそのドライブ回路の例を示したものである。【０００４】
図１に示すように、表示パネル１にはデータ線と、走査線が互いに直交するようにして配列され、それぞれの交差した部分にダイオードのマークで示す有機ＥＬ素子が接続されている。図１に示す例においては縦方向（列方向）に沿う各データ線に対応して前記したＲ，Ｇ，Ｂの各色を発光するＥＬ素子のアノード端子がそれぞれ接続され、また横方向（行方向）に沿う走査線に前記Ｒ，Ｇ，Ｂの各色を発光するＥＬ素子のカソード端子が共通接続されている。【０００５】
そして、前記Ｒ，Ｇ，Ｂの各色を発光するＥＬ素子（例えばＲ１１，Ｇ１１，Ｂ１１）はサブピクセルを構成し、これら３つのサブピクセルにより１つのカラー表示ピクセルを構成している。なお、図においては紙面の都合により、縦横方向に２×２のカラー表示ピクセルが配置された状況を示しているが、現実には多数のカラー表示ピクセルが縦横方向（面方向）に配置され、ドットマトリクス型表示パネルを構成している。【０００６】
前記した表示パネル１の各データ線にはデータドライバ２より、選択的に定電流が供給されるようになされる。すなわち、各データ線はデータドライバ２内に配置されたドライブスイッチＳＲ１，ＳＧ１，ＳＢ１，……にそれぞれ接続され、前記各ドライブスイッチを介してデータドライバ２内の定電流回路からの定電流、もしくは非点灯電位であるグランド電位が各データ線に供給されるように構成されている。【０００７】
そして前記各ドライブスイッチＳＲ１，ＳＧ１，ＳＢ１，……は、データドライバ２における符号２ａで示す制御回路Ａおよび前記ドライブスイッチ毎に対応する符号２ｂで示す各制御回路Ｂからの指令により切り換え制御される。【０００８】
符号２ａで示す制御回路Ａは図示せぬシフトレジスタにより構成されており、このシフトレジスタにより構成された制御回路Ａには、表示データ（映像信号）ＤＡＴＡおよびクロック信号ＣＫが供給される。前記シフトレジスタは、図示していないが例えばＤ型フリップフロップ回路からなる複数のレジスタ回路を直列に接続された構成にされており、これは表示パネル１に配列された前記データ線の数に対応して用意されている。【０００９】
そして、前記レジスタ回路の出力端は、次のレジスタ回路の入力端に順次接続された直列回路を構成しており、前記各レジスタ回路のクロック入力端子には、前記クロック信号がそれぞれ供給されるように構成されている。また前記表示データは初段のレジスタ回路に供給され、これにより表示データはクロック信号により、順次レジスタ回路上を転送されるように動作する。【００１０】
また符号２ｂで示す制御回路Ｂは、前記ドライブスイッチＳＲ１，ＳＧ１，ＳＢ１，……に対応してそれぞれ具備されており、前記制御回路Ａにおけるレジスタ回路の出力、すなわち図１に示したＤＡＴＡ  Ｒ１，Ｇ１，Ｂ１，ＤＡＴＡ  Ｒ２，Ｇ２，Ｂ２，……を１走査期間ごとにラッチし、そのラッチ出力を前記ドライブスイッチＳＲ１，ＳＧ１，ＳＢ１，……の制御信号として出力するように動作する。  【００１１】
一方、前記した表示パネル１の各走査線には走査ドライバ３より、択一的に走査電位が供給されるようになされる。すなわち、各走査線はそれぞれ走査ドライバ３に配置された走査スイッチＳＫ１，ＳＫ２，……に接続され、前記各走査スイッチを介して走査電位としてのグランド電位、もしくは逆バイアス電圧ＶＭが各走査線に供給されるように構成されている。【００１２】
なお、図１は走査スイッチＳＫ１が走査電位を選択することにより、１番目の走査線が走査状態になされた場合を示しており、この時、走査スイッチＳＫ１以外の各走査スイッチは逆バイアス電圧ＶＭを選択するように動作する。これにより、図１に示す例においては１番目の走査線に接続された○印で示した素子が点灯状態になされ、Ｒ，Ｇ，Ｂのサブピクセルの点灯度合いによりカラー表示ピクセルの発光色（表示色）が調整される。【００１３】
そして、全ての走査線が順次走査されることにより、１フレームの画像が表示されることになる。以上説明したカラー表示パネルの駆動装置については、すでに数多くの特許出願がなされており、本件出願人において出願した例えば特許文献１などにも開示されている。
【特許文献１】特開２００３−３０２９３８号公報
【発明の開示】
【発明が解決しようとする課題】
【００１４】
ところで、昨今においてはこの種の表示パネルはきわめて安価な商品分野にも採用されるなど、その用途は益々拡大されている。そして用途によってはパネル全体の表示色もしくはパネルの一部の表示色を数色の中から選択できるように機能させることで、表示上の見栄えを十分に確保することができるものもある。【００１５】
しかしながら、図１に示した構成のカラー表示パネルの駆動装置においては、Ｒ，Ｇ，Ｂの各サブピクセル毎に点灯をオン／オフ制御させるデータが必要である。例えば、全面が赤色のキャラクター表示（カラーチェンジ表示）を行いたい場合には、赤のサブピクセルを点灯させるデータだけではなく、緑や青のサブピクセルに対応してこれらを不点灯にするデータも送る必要がある。【００１６】
すなわち、前記したような赤単色の点灯を行うために必要なデータは、赤のサブピクセルの点灯データのみでよいところ、３倍のデータと回路部分が必要であり、このために製品コストの上昇と消費電力の増加を伴うことになる。【００１７】
この発明は、前記したカラー表示パネルの駆動装置に着目してなされたものであり、表示に必要なデータ量を抑えることで、製品コストと消費電力を抑えることができ、低価格帯の商品に対しても容易に採用することができる発光表示パネルの駆動装置を提供することを課題とするものである。
【課題を解決するための手段】
【００１８】
前記した課題を解決するためになされたこの発明にかかる発光表示パネルの駆動装置は、請求項１に記載のとおり、複数の異なった発光色に対応する発光素子をそれぞれサブピクセルとし、これら複数のサブピクセルを組として１つのカラー表示ピクセルを構成すると共に、前記カラー表示ピクセルを面方向に多数配列してなる表示パネルを点灯駆動するドライバ回路を備えた発光表示パネルの駆動装置であって、前記ドライバ回路には、走査対象となる前記カラー表示ピクセルに対してそれぞれ表示データを出力する制御回路と、前記制御回路からもたらされる表示データに基づいて、走査対象となる前記カラー表示ピクセルにおける各サブピクセルを点灯もしくは消灯制御するための駆動データを展開する変換回路とが具備されている点に特徴を有する。
【図面の簡単な説明】
【００１９】
【図１】従来のカラー表示を実現する発光表示パネルとその駆動回路の例を示したブロック図である。
【図２】この発明にかかる発光表示パネルの駆動装置の第１の実施の形態を示したブロック図である。
【図３】同じく第２の実施の形態を示したブロック図である。
【図４】同じく第３の実施の形態を示したブロック図である。
【図５】同じく第４の実施の形態を示したブロック図である。
【符号の説明】
【００２０】
１      発光表示パネル
２      データドライバ
２ａ    制御回路Ａ
２ｂ    制御回路Ｂ
２ｃ    変換回路
２ｄ    データ反転回路Ａ
２ｅ    データ反転回路Ｂ
３      走査ドライバ
４      切り換え回路
Ｒ１１〜Ｂ２２    発光素子
ＳＲ１，ＳＧ１，ＳＢ１，……    ドライブスイッチ
ＳＫ１，ＳＫ２，……    走査スイッチ
【発明を実施するための最良の形態】
【００２１】
以下、この発明にかかる発光表示パネルの駆動装置について、図に示す実施の形態に基づいて説明する。なお、以下に説明する各実施の形態においては、図１に基づいて説明した表示パネル１および走査ドライバ３は、同一の構成が採用されるものであり、したがって当該部分の図示は省略している。【００２２】
図２は、その第１の実施の形態におけるデータドライバ２について示したものであり、符号２ａで示す制御回路Ａは、図１に基づいて説明した例と同様にその主要部はシフトレジスタにより構成されている。その基本構成は図１に基づいて説明した制御回路Ａとほぼ同一であるので、その詳細な説明は省略する。【００２３】
ただし、図２に示す実施の形態における制御回路Ａは、走査対象となるカラー表示ピクセルの単位で点灯もしくは非点灯を指示する表示データ（ＤＡＴＡ１，ＤＡＴＡ２，……）が出力されるように構成されている。したがって、Ｒ，Ｇ，Ｂの各サブピクセル単位で点灯もしくは非点灯のデータを出力する図１に示した制御回路Ａに比較すると、シフトレジスタの集積規模はほぼ１／３になされている。【００２４】
符号２ａで示す制御回路Ａより出力されるカラー表示ピクセル単位の点灯もしくは非点灯を指示する表示データ（ＤＡＴＡ１，ＤＡＴＡ２，……）は、各カラー表示ピクセルに対応して設けられた変換回路２ｃにそれぞれ供給されるように構成されている。前記各変換回路２ｃは、制御回路Ａより出力される前記表示データに基づいて、走査対象となる前記カラー表示ピクセルにおけるＲ，Ｇ，Ｂの各サブピクセルを点灯もしくは消灯制御するための駆動データを展開するように機能する。【００２５】
このために前記変換回路２ｃには、各サブピクセルを点灯もしくは消灯制御するための前記駆動データの展開形態を指示する指令が入力できるように構成されている。すなわち、図２に示す実施の形態においては、図中“Ｓｕｂ  Ｐｉｘｅｌ  Ｒ，Ｇ，Ｂ”としてそれぞれ標記しているとおり、Ｒ，Ｇ，Ｂのいずれか１つ、もしくは複数のサブピクセルを同時に点灯制御させる指令が入力できるように構成されている。【００２６】
なお、図２に示す実施の形態においては、各変換回路２ｃに対してそれぞれ同一の点灯制御のための指令が入力できるように構成されている。したがって、前記変換回路２ｃに対して例えば“Ｓｕｂ  Ｐｉｘｅｌ  Ｒ”が指示され、かつ制御回路Ａよりもたらされる表示データが、点灯表示するものである場合においては、変換回路２ｃよりＲのサブピクセルを点灯させる駆動データを、符号２ｂで示す各制御回路Ｂに出力するように作用する。【００２７】
前記制御回路Ｂは、図１に基づいてすでに説明したとおり、ラッチ機能を備えており、前記変換回路２ｃからの駆動データを１走査期間ごとにラッチし、そのラッチ出力をドライブスイッチＳＲ１，ＳＧ１，ＳＢ１，……の制御信号として出力するように動作する。これにより、図２に示す実施の形態においては、表示パネルの全面において赤色のキャラクター表示（カラーチェンジ表示）が行われる。【００２８】
前記した説明により明らかなとおり、前記変換回路２ｃに対して例えば“Ｓｕｂ  Ｐｉｘｅｌ  Ｇ”を指示した場合には、表示パネルの全面において緑色のキャラクター表示が行われ、また変換回路２ｃに対して例えば“Ｓｕｂ  Ｐｉｘｅｌ  Ｂ”を指示した場合には、表示パネルの全面において青色のキャラクター表示が実現されることになる。【００２９】
さらに“Ｓｕｂ  Ｐｉｘｅｌ  Ｒ，Ｇ，Ｂ”の全てを選択した場合には、３つのサブピクセルが同時に点灯表示されるので、白の発色による表示が行われることになる。同様にして、サブピクセルＲとＧ、サブピクセルＲとＢ、サブピクセルＧとＢの組み合わせの点灯制御も実現することができる。【００３０】
以上説明したとおり、図２に示した実施の形態によると、符号２ｃで示す変換回路に、カラー表示ピクセルにおける各サブピクセルを点灯もしくは消灯制御するための駆動データを展開する機能を持たせたので、表示パネルの全体を複数の表示色から選択して表示できるカラーチェンジ表示を実現させることができる。【００３１】
したがって、この実施の形態によると、前記した変換回路２ｃを備えることにより、データドライバ２における符号２ａで示す制御回路Ａは、カラー表示ピクセル単位での点灯もしくは非点灯を指示する表示データを生成すればよいことになる。  【００３２】
これにより、前記データドライバ２に送り込む表示データ（映像信号）の伝送量を大幅に低減させることができ、また制御回路Ａはシフトレジスタの集積規模を大幅に低減させることが可能となる。【００３３】
これに応じてシフトレジスタを転送制御するクロック信号の周波数も低くすることができる。それ故、回路構成上のコストの低減が図れると共に、クロック信号の周波数の低下に伴い、回路全体の消費電力を抑制させることにも寄与できる。【００３４】
次に図３は、この発明にかかる駆動装置の第２の実施の形態を示したものである。なお、この図３に示す実施の形態においては、図２に示した第１の実施の形態における各部と同一の機能を果たす部分は同一符号で示しており、したがってその詳細な説明は適宜省略する。【００３５】
この図３に示す実施の形態においては、図２に示した第１の実施の形態に加え、符号２ｄで示したデータ反転回路Ａおよび符号２ｅで示したデータ反転回路Ｂが備えられている。すなわち、符号２ｄで示したデータ反転回路Ａは、符号２ａで示す制御回路Ａと符号２ｃで示す変換回路との間に介在されている。そして、前記制御回路Ａからもたらされる表示データ、すなわちカラー表示ピクセルを点灯もしくは非点灯制御する二値の表示データを反転させる機能を備えている。【００３６】
また、符号２ｅで示したデータ反転回路Ｂは、符号２ｃで示す変換回路と符号２ｂで示す制御回路Ｂとの間に介在され、変換回路２ｃからもたらされる各サブピクセルを点灯もしくは消灯制御するための二値の駆動データを反転させる機能を備えている。【００３７】
前記した実施の形態によると、符号２ａで示す制御回路Ａからの二値のデータを、符号２ｄで示すデータ反転回路Ａにより反転した状態で、表示データ（ＤＡＴＡ１，ＤＡＴＡ２，……）として各変換回路２ｃに供給するようになされる。したがって符号２ｄで示すデータ反転回路Ａは、カラー表示ピクセルの単位で表示を反転（点灯もしくは非点灯を反転）するように機能する。【００３８】
また、符号２ｅで示すデータ反転回路Ｂは、各変換回路２ｃからもたらされるサブピクセルごとの二値の表示データ（サブピクセルごとの点灯もしくは非点灯データ）を反転させる機能を果たす。したがって、符号２ｅで示すデータ反転回路Ｂは、補色の関係となる色反転の動作を実行することになる。【００３９】
図３に示した実施の形態によると、変換回路２ｃに加えて符号２ｄで示すデータ反転回路Ａ、符号２ｅで示すデータ反転回路Ｂを備えたので、図２に示す実施の形態において得られる作用効果に加えて、より多彩なカラーチェンジ表示機能を実現させることができる。【００４０】
なお、図３に示した実施の形態においては、符号２ｄで示すデータ反転回路Ａおよび符号２ｅで示すデータ反転回路Ｂが具備されているが、ＡもしくはＢのいずれか一方のデータ反転回路を備えた構成であっても、多彩なカラーチェンジ表示機能を実現させることができる。【００４１】
図４は、この発明にかかる駆動装置の第３の実施の形態を示したものである。なお、この図４に示す実施の形態においては、図３に示した第２の実施の形態における各部と同一の機能を果たす部分は同一符号で示しており、したがってその詳細な説明は適宜省略する。【００４２】
この図４に示す実施の形態は、前記した変換回路２ｃに与える駆動データの展開形態を指示する指令が、任意のタイミングで切り換えられるように構成したものである。【００４３】
このために図４に示す実施の形態においては、切り換え回路４が具備されており、この切り換え回路４には、図中“Ｓｕｂ  Ｐｉｘｅｌ  １Ｒ，１Ｇ，１Ｂ”として標記している第１の指令と、“Ｓｕｂ  Ｐｉｘｅｌ  ２Ｒ，２Ｇ，２Ｂ”として標記している第２の指令とが選択的に切り換えられて、変換回路２ｃに与えられるように構成されている。【００４４】
そして、前記切り換え回路４は、走査に同期して一表示画面（１フレーム）の前半において例えば前記第１の指令を選択し、後半において前記第２の指令を選択するように切り換え制御することで、画面の前半部が前記第１の指令に基づくカラー表示がなされ、画面の後半部が前記第２の指令に基づくカラー表示がなされる二色表示が実現される。【００４５】
前記切り換え回路４は、さらに多数の指令入力を受けることができるように構成することで、一表示画面においてより多数の色表示を実現させることができる。【００４６】
なお、図４に示す実施の形態においては、データ反転回路２ｄおよび２ｅが備えられているが、前記データ反転回路２ｄおよび２ｅが備えられていない図２に示した実施の形態に、前記した切り換え回路４を備えるように構成することもできる。また、図４に示す実施の形態においては、前記切り換え回路４はデータドライバ２の外部に設けられているが、これに限定されず、データドライバ２の内部に設けられることも可能である。【００４７】
図５は、この発明にかかる駆動装置の第４の実施の形態を示したものである。なお、この図５に示す実施の形態においては、図３に示した第２の実施の形態における各部と同一の機能を果たす部分は同一符号で示しており、したがってその詳細な説明は適宜省略する。【００４８】
この図５に示す実施の形態においては、変換回路２ｃは複数のグループに分けられ、各グループごとに前記駆動データの展開形態を指示する異なった指令が入力されるように構成されている。すなわち、図５に示す例は変換回路２ｃのグループが左右２つに分割された場合を示している。なお図５においては紙面の都合によりそれぞれのグループにはそれぞれ１つの変換回路２ｃが記載されているが、現実にはより多数の変換回路が存在することになる。【００４９】
そして、図の左側のグループにおける変換回路２ｃには、“Ｓｕｂ  Ｐｉｘｅｌ  １Ｒ，１Ｇ，１Ｂ”として標記している指令が入力され、図の右側のグループにおける変換回路２ｃには、“Ｓｕｂ  Ｐｉｘｅｌ  ２Ｒ，２Ｇ，２Ｂ”として標記している指令が入力されるように構成されている。【００５０】
前記した構成によると、表示パネルの左右方向にグループごとに分割されて異なった色表示がなされ、その表示色はグループごとの変換回路２ｃに与える指令入力に依存されることになる。【００５１】
なお、図５に示す実施の形態においては、データ反転回路２ｄおよび２ｅが備えられているが、前記データ反転回路２ｄおよび２ｅが備えられていない図２に示した実施の形態にも、同様に適用することができる。【００５２】
以上説明した実施の形態においては、表示パネルに配列される発光素子として有機ＥＬ素子を用いた例を示しているが、前記発光素子としては電流もしくは電圧駆動形の他の発光素子を用いた場合においても同様の作用効果を得ることができる。  【００５３】
また、以上説明した実施の形態においては、１つのカラー表示ピクセルについてＲ，Ｇ，Ｂの各発光色によりサブピクセルを構成した例を示しているが、これは、２色以上の発光色に対応するサブピクセルにより１つのカラー表示ピクセルを構成するものであってもよい。
【図１】
2009104237.tif 000003
【図２】
2009104237.tif 000004
【図３】
2009104237.tif 000005
【図４】
2009104237.tif 000006
【図５】
2009104237.tif 000007
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数の異なった発光色に対応する発光素子をそれぞれサブピクセルとし、これら複数のサブピクセルを組として１つのカラー表示ピクセルを構成すると共に、前記カラー表示ピクセルを面方向に多数配列してなる表示パネルを点灯駆動するドライバ回路を備えた発光表示パネルの駆動装置であって、
前記ドライバ回路には、走査対象となる前記カラー表示ピクセルの単位で点灯もしくは非点灯を指示する表示データを出力する制御回路と、
前記カラー表示ピクセルに対応して設けられ、前記制御回路からもたらされる前記表示データと、１つのカラー表示ピクセルを構成する複数の前記サブピクセルのいずれか１つもしくは複数を点灯制御させる指令に基づいて、走査対象となる前記カラー表示ピクセルにおける各サブピクセルを点灯もしくは消灯制御するための駆動データを展開する変換回路とが具備されていることを特徴とする発光表示パネルの駆動装置。
【請求項２】
前記変換回路には、前記駆動データの展開形態を指示する異なった指令が、任意のタイミングで切り換え入力されるように構成されていることを特徴とする請求項１に記載された発光表示パネルの駆動装置。
【請求項３】
前記変換回路は、複数のグループに分けられ、各グループごとに前記駆動データの展開形態を指示する異なった前記指令が、入力されるように構成されていることを特徴とする請求項１に記載された発光表示パネルの駆動装置。
【請求項４】
前記制御回路と前記変換回路との間に、前記制御回路からもたらされる二値の表示データを反転させるデータ反転回路を備えたことを特徴とする請求項１ないし請求項３のいずれか１項に記載された発光表示パネルの駆動装置。
【請求項５】
前記変換回路からもたらされる各サブピクセルを点灯もしくは消灯制御するための二値の駆動データを反転させるデータ反転回路を備えたことを特徴とする請求項１ないし請求項３のいずれか１項に記載された発光表示パネルの駆動装置。
【手続補正３】
【補正対象書類名】明細書
【補正対象項目名】０００１
【補正方法】変更
【補正の内容】
【０００１】
この発明は、例えば有機ＥＬ（エレクトロ・ルミネッセンス）素子を表示素子として用い、表示画面の全体もしくは一部において、特定の表示色で表示することができる発光表示パネルの駆動装置に関する。
【手続補正４】
【補正対象書類名】明細書
【補正対象項目名】００１８
【補正方法】変更
【補正の内容】
【００１８】
前記した課題を解決するためになされたこの発明にかかる発光表示パネルの駆動装置は、請求項１に記載のとおり、複数の異なった発光色に対応する発光素子をそれぞれサブピクセルとし、これら複数のサブピクセルを組として１つのカラー表示ピクセルを構成すると共に、前記カラー表示ピクセルを面方向に多数配列してなる表示パネルを点灯駆動するドライバ回路を備えた発光表示パネルの駆動装置であって、前記ドライバ回路には、走査対象となる前記カラー表示ピクセルの単位で点灯もしくは非点灯を指示する表示データを出力する制御回路と、前記カラー表示ピクセルに対応して設けられ、前記制御回路からもたらされる前記表示データと、１つのカラー表示ピクセルを構成する複数の前記サブピクセルのいずれか１つもしくは複数を点灯制御させる指令に基づいて、走査対象となる前記カラー表示ピクセルにおける各サブピクセルを点灯もしくは消灯制御するための駆動データを展開する変換回路とが具備されている点に特徴を有する。
【国際調査報告】
2009104237.tif 000008
2009104237.tif 000009
2009104237.tif 000010
2009104237.tif 000011
2009104237.tif 000012
2009104237.tif 000013
2009104237.tif 000014